(57)【要約】【課題】近接センサから出射される光に起因する異常点発生の期間を短縮する。【解決手段】近接センサ（１０）は、発光素子（１２）と、同期信号が入力される同期信号入力部（１５）と、発光素子（１２）の光の出射を制御するセンサ制御部（１１）と、を備え、センサ制御部（１１）は、書き換えタイミングと発光素子の光の出射時間とに基づいて設定された開始タイミングで、発光素子（１２）に光の出射を開始させ、かつ、書き換えタイミングになる前に、発光素子（１２）に光の出射を終了させる。【選択図】図３
2022001924.tif 000002
【特許請求の範囲】
【請求項１】
外部から入射した入射光の少なくとも一部が裏面を透過する表示装置の表示画面における特定表示領域の配置箇所に対応する箇所に配置され、前記表示画面に検知対象体が近接しているか否かを検知する近接センサであって、
光を出射する発光素子と、
前記表示装置から出力された、前記表示画面に表示された画像の書き換えのタイミングを示す同期信号が入力される同期信号入力部と、
前記発光素子の前記光の出射を制御する出射制御部と、を備え、
前記出射制御部は、（ｉ）前記特定表示領域で前記画像の走査線の書き換えが開始される書き換えタイミングと、前記発光素子の前記光の出射時間と、に基づいて設定された開始タイミングで、前記発光素子に前記光の出射を開始させ、かつ、（ｉｉ）前記書き換えタイミングになる前に、前記発光素子に前記光の出射を終了させることを特徴とする近接センサ。
【請求項２】
前記表示装置は、前記画像の書き換えの開始を示す垂直同期信号を前記同期信号として出力し、
前記同期信号入力部に前記垂直同期信号が入力されたときから前記書き換えタイミングになるまでの間の基準時間と、前記出射時間との差分時間に応じて、前記開始タイミングを設定する開始タイミング設定部をさらに備えたことを特徴とする請求項１に記載の近接センサ。
【請求項３】
前記開始タイミング設定部は、
前記同期信号入力部に前記同期信号が入力されたときから時間計測を開始するカウンタ回路と、
前記時間計測の開始後の前記カウンタ回路から順次出力される出力値と、前記差分時間の値とを比較し、前記出力値と前記差分時間の値とが一致した場合に、前記開始タイミングを設定する比較回路と、を有することを特徴とする請求項２に記載の近接センサ。
【請求項４】
前記表示装置は、前記走査線の書き換えの開始を示す水平同期信号を順次出力し、
前記表示装置から出力された前記水平同期信号の数をカウントすることにより、前記表示画面に表示される１本目の前記走査線から前記特定表示領域に表示される前記走査線までの総本数と同数の前記水平同期信号をカウントしたときに、カウント信号を生成するカウント信号生成部をさらに備え、
前記同期信号入力部には、前記カウント信号生成部から出力された前記カウント信号が前記同期信号として入力され、
前記出射制御部は、前記同期信号入力部に対して前記カウント信号が入力されたときを、前記開始タイミングとすることを特徴とする請求項１に記載の近接センサ。
【請求項５】
前記同期信号入力部は、
入力された前記同期信号の極性に応じて当該極性を反転させる極性反転部と、
前記極性反転部から出力された反転信号のエッジを検出するエッジ検出部と、を有することを特徴とする請求項１〜４のいずれか１項に記載の近接センサ。
【請求項６】
請求項１〜５のいずれか１項に記載の近接センサと、前記表示装置と、を備えたことを特徴とする電子機器。
【発明の詳細な説明】
【技術分野】
【０００１】
本発明は、近接センサおよび電子機器に関する。
【背景技術】
【０００２】
近年、携帯電話などに代表されるタッチパネル機能付きの表示装置（例えば液晶画面を備えた表示装置）を備えるモバイル機器（電子機器、より具体的にはポータブル電子機器）が、幅広く利用されている。このモバイル機器は、多機能化、小型化および薄型化が進行しており、さらに、モバイル機器に近接する物体の有無を検知する近接センサを搭載したものも登場している。
【０００３】
近接センサの用途としては、例えばモバイル機器の誤動作の防止が挙げられる。まず、モバイル機器がタッチパネル機能付きの携帯電話（以下、「携帯電話」と略記）である場合を例に挙げて、前記誤動作の防止について説明する。着信があると、通常、ユーザは携帯電話を耳に当てる動作を行う。このとき、表示画面の表示がオンであり、かつ、タッチパネル機能がアクティブの状態であった場合、表示画面がユーザの肌に当たってしまうと携帯電話が誤動作する可能性がある。
【０００４】
このような誤動作を防止するために、携帯電話に備えられた制御部は、近接センサの検知結果に応じてタッチパネル機能をアクティブまたは非アクティブのいずれかに切り替える制御を行う。具体的には、近接センサは、ユーザの肌が表示画面に近接していることを検知すると、その旨の検知結果を制御部に送信する。検知結果を受信した制御部は、表示画面の表示をオフにするとともに、タッチパネル機能をアクティブの状態から非アクティブの状態に切り替える。そして、近接センサがユーザの肌と表示画面とが近接しなくなったことを検知すると、検知結果を受信した制御部は、表示画面の表示を再びオンにするとともに、タッチパネル機能を非アクティブの状態からアクティブの状態に切り替える。
【０００５】
次に、モバイル機器がタッチパネル機能付きのメディアプレーヤである場合を例に挙げて、前記誤動作の防止について説明する。例えばユーザがメディアプレーヤを服のポケットに収納する場合、メディアプレーヤが近接センサを搭載していないのであれば、表示画面と服の生地（またはポケットの生地）との接触による誤動作を防止すべく、メディアプレーヤの電源をオフにする必要がある。なぜなら、メディアプレーヤの電源をオフにしなければ、表示装置をオフ、つまりタッチパネル機能を非アクティブの状態にできないためである。メディアプレーヤの電源をオフにするには、通常、メディアプレーヤに設けられた電源ボタンを押下する。
【０００６】
一方、メディアプレーヤが近接センサを搭載しているのであれば、ユーザがメディアプレーヤを服のポケットに収納する場合でもメディアプレーヤの電源をオフにする必要はない。なぜなら、ユーザがメディアプレーヤを服のポケットに収納する過程で、近接センサはメディアプレーヤと服の生地（またはポケットの生地）とが近接したことを検知する。そして、検知結果を受信したメディアプレーヤの制御部が、表示画面の表示をオンからオフに切り替えるとともに、タッチパネルの機能をアクティブの状態から非アクティブの状態に切り替えるからである。
【０００７】
ユーザがメディアプレーヤをポケットから取り出す過程では、近接センサは、メディアプレーヤと服の生地（またはポケットの生地）とが近接しなくなったことを検知する。そして、検知結果を受信したメディアプレーヤの制御部が、表示画面の表示をオフからオンに切り替えるとともに、タッチパネル機能を非アクティブの状態からアクティブの状態に切り替える。
【０００８】
モバイル機器の制御部が、近接センサの検知結果に基づいて上述の各例のような制御を行うことにより、タッチパネル機能が意図せずアクティブの状態であることに起因するモバイル機器の誤動作を防止することができる。また、タッチパネル機能を使用する可能性が低い場面では表示画面の表示が自動的にオフになることから、モバイル機器の消費電力を低減することができる。
【０００９】
モバイル機器に対して上述のようなメリットをもたらす近接センサは、タッチパネル機能付きの携帯電話、メディアプレーヤをはじめとする多様なモバイル機器への搭載が見込まれている。ここで、近接センサのモバイル機器における搭載位置、および近接センサを搭載した後のモバイル機器における筐体表面の形状等の設計条件（言い換えれば、近接センサの実装条件）は、モバイル機器の製造メーカおよび機種毎に様々である。この理由としては、モバイル機器におけるデザイン面および設計面の制約が挙げられる。このような経緯から、近接センサの様々な実装条件に対して同等の特性を発揮できる近接センサの実現が強く求められている。
【００１０】
なお、近接センサの特性を示す指標としては、検知距離および誤動作の発生確率が挙げられる。検知距離は、近接センサが検知対象体の近接を検知したときの、検知対象体と近接センサとの間の距離である。検知対象体は、近接センサの検知対象となる物体である。
【００１１】
近接センサには様々な検知方式があるところ、上述した携帯電話およびメディアプレーヤ等の小型の携帯端末には、光検知方式の近接センサが多く搭載されている。以下、図１２および１３を用いて、特許文献１に開示された従来の光検知方式の近接センサ１００について説明する。
【００１２】
近接センサ１００は、図１２に示すように、近接センサ１００内の発光素子１０２から出射された出射光Ｌ１を検知対象体１１０に反射させる。検知対象物１１０は、近接センサ１００の検知対象となる物体である。そして近接センサ１００は、出射光Ｌ１が検知対象体１１０で反射された反射光Ｌ２を、近接センサ１００内の受光素子１０３で受光する。このように受光素子１０３が反射光Ｌ２を受光することにより、近接センサ１００は、検知対象体１１０が当該近接センサ１００に近接していることを検知する。
【００１３】
具体的には近接センサ１００は、図１３に示すように、発光素子１０２および受光素子１０３の他、センサ制御部１０１およびＡＤ変換部１０４を備えている。ＡＤ変換部１０４は、受光素子１０３から出力された受光信号Ｓ１０３をデジタル信号Ｓ１０４に変換する。受光信号Ｓ１０３は、反射光Ｌ２の光量に応じた電流信号であり、アナログ信号である。デジタル信号Ｓ１０４は、受光信号Ｓ１０３で表される電流量のアナログ値と相関するデジタル値を表す信号である。センサ制御部１０１は、ＡＤ変換部１０４から出力されたデジタル信号Ｓ１０４に応じて、電子機器（不図示）の動作を制御するための制御信号Ｓ１０５を電子機器に出力する。なお、センサ制御部１０１には、必要に応じて、外部から入力信号Ｓ１０１が入力されてもよい。
【００１４】
ＡＤ変換部１０４が生成するデジタル信号Ｓ１０４のビット数としては、一般的に８〜１６ビットが設定される。デジタル信号Ｓ１０４は、ビット数を大きくするほど出力ダイナミックレンジおよび分解能を高くすることができる。
【００１５】
センサ制御部１０１は、制御信号Ｓ１０５として、ＡＤ変換部１０４から入力されたデジタル信号Ｓ１０４を直接出力してもよい。またセンサ制御部１０１は、ＡＤ変換部１０４から入力されたデジタル信号Ｓ１０４のデジタル値を、予め設定された閾値と比較してもよい。
【００１６】
閾値を設定する場合、例えば、近接センサ１００と検知対象体１１０との距離Ｘが１００ｍｍのときにＡＤ変換部１０４から出力されるデジタル信号Ｓ１０４のデジタル値を、閾値として設定する。そしてセンサ制御部１０１は、ＡＤ変換部１０４から入力されたデジタル信号Ｓ１０４のデジタル値を閾値と比較することにより、検知対象体１１０が、距離Ｘ＝１００ｍｍを基準として近接センサ１００に近接しているか否かを検知することができる。なおセンサ制御部１０１は、制御信号Ｓ１０５を複数ビットのデジタル値として出力するのではなく、例えば距離Ｘが１００ｍｍより短いときは「０」を、長いときは「１」を出力することで、制御信号Ｓ１０５を１ビットの信号として出力することができる。
【００１７】
近年、携帯電話については、表示装置の大画面化が進む一方で携帯電話本体の小型化・薄型化が望まれる傾向にあるため、筐体の狭額縁化が進んでいる。その結果、携帯電話内部における近接センサを搭載するための空間の確保が困難になってきたことから、近接センサの小型化・薄型化、ならびに、発光素子および受光素子の開口位置の工夫等の対応が求められている。
【００１８】
また、携帯電話の表示装置としてはこれまで液晶表示装置が主流であったが、高画質映像、軽量、広視野角、低消費電力といった利点があることから、ＯＬＥＤ(Organic Light Emitting Diode)表示装置を搭載した携帯電話が普及しつつある。液晶表示装置は、液晶部の裏面に設置したバックライトにより表示画面の輝度を調整している。このような液晶表示装置の構造上、当該液晶表示装置の裏面の筐体内部には外部からの光が透過しないため、光検知方式の近接センサ等の光学センサは、液晶表示装置のバックライトが存在しない、筐体の額縁部の裏面に配置する必要があった。
【００１９】
以下、図１４を用いて、液晶表示装置５０１を搭載した従来の携帯電話５００について説明する。液晶表示装置５０１は、タッチパネル機能を有しており、各種情報を表示する表示部としての機能とユーザ操作の入力を受け付ける操作入力部としての機能とを兼ね備えている。また、液晶表示装置５０１は、周囲を携帯電話５００の筐体の額縁部５０２に囲まれている。筐体内部における額縁部５０２の配置位置に形成された空間（以下、「額縁空間」）には、液晶表示装置の駆動回路およびタッチパネル機能の制御回路が配置されている。
【００２０】
また額縁空間には、マイク５０３、カメラ５０４および近接センサ２００等の各種部品も配置されており、額縁部５０２におけるマイク５０３、カメラ５０４および近接センサ２００の各配置箇所に対応する領域は、開口されている。マイク５０３は集音装置である。カメラは撮像装置である。近接センサ２００は、従来の光検知方式の光学センサである。このように額縁部５０２に開口部を形成しなければならないことから、液晶表示装置５０１の表示領域が狭くなり、ひいては携帯電話のデザイン性・外観にも影響を与えていた。
【００２１】
一方、ＯＬＥＤ表示装置はバックライトが不要であることから、ＯＬＥＤ表示装置の裏面の筐体内部にもごくわずかであるが外部からの光が透過する。そのため、ＯＬＥＤ表示装置の裏面の筐体内部に、光検知方式の近接センサ等の光学センサを配置することができる。具体的には、例えば図１５に示すように、表示装置としてＯＬＥＤ表示装置６０１を用いた場合、携帯電話６００において、ＯＬＥＤ表示装置６０１の裏面の筐体６１０内部に光学センサ３００を設置することができる。
【００２２】
このように、筐体６１０内部におけるＯＬＥＤ表示装置６０１の裏面側の空間に光学センサ３００を配置することで、筐体６１０の大きさを光学センサ３００の大きさ分だけ大きくする必要がなくなる。そのため、携帯電話６００の大きさを光学センサ３００の搭載によって変えることなく、表示装置の大画面化を図ることができる。また、筐体６１０の額縁部に光学センサ３００のための開口部を形成する必要がないことから、開口部の形成による携帯電話６００のデザイン性・外観の低下を回避することができる。
【００２３】
次に、図１６を用いて、特許文献２に開示された従来のアクティブマトリクス駆動方式のＯＬＥＤ表示装置における駆動原理について説明する。ＯＬＥＤ表示装置の画素４１０は、図１６に示すように、ＯＬＥＤ素子４１１、スイッチング用の薄膜トランジスタ４１２、ＯＬＥＤ素子駆動用の薄膜トランジスタ４１３および電荷保持容量４１４を備えている。以下の説明では、スイッチング用の薄膜トランジスタ４１２を「第１ＴＦＴ４１２」と称し、ＯＬＥＤ素子駆動用の薄膜トランジスタ４１３を「第２ＴＦＴ４１３」と称する。
【００２４】
第１ＴＦＴ４１２は、ゲート電極にゲートラインＧＬが接続され、ソース電極にデータラインＤＬが接続されている。第１ＴＦＴ４１２は、ゲートラインＧＬの入力電圧によってオンとオフとが切り替わる。データラインＤＬに入力されているデータ信号は、第１ＴＦＴ４１２がオンになったときに、第１ＴＦＴ４１２のドレイン電極と第２ＴＦＴ４１３のゲート電極との間に接続された電荷保持容量４１４に保持される。
【００２５】
第２ＴＦＴ４１３のゲート電極には、第１ＴＦＴ４１２を介して入力されたデータ信号に応じた電圧が供給される。第２ＴＦＴ４１３は、ゲート電極に供給された電圧の電圧値に応じた電流を、電源ラインＶＬからＯＬＥＤ素子４１１に供給する。ＯＬＥＤ素子４１１は、陽極から注入される正孔と陰極から注入される電子とが発光層内で再結合することにより、発光分子が励起される。そして、この発光分子が励起状態から基底状態に戻るときに、ＯＬＥＤ素子４１１が発光する。
【００２６】
ＯＬＥＤ素子４１１の発光輝度は、ＯＬＥＤ素子４１１に供給される電流に略比例している。このことから、ＯＬＥＤ表示装置が備えている複数の画素４１０のそれぞれに対して上述のようにデータ信号を入力してＯＬＥＤ素子４１１に流す電流を制御することにより、データ信号に応じた発光輝度でＯＬＥＤ素子を発光させることができる。そのため、ＯＬＥＤ表示装置全体で、所望のイメージ表示を行うことができる。
【００２７】
ここで、従来の表示装置には、一般的に６０Ｈｚの周波数のフレームレートが適用されている。フレームレートは、表示装置の画像の書き換え周波数である。フレームレートが６０Ｈｚの場合、表示装置における画像の書き換え周期は約１６６６７μｓになる。そのため、例えば特許文献２のＯＬＥＤ表示装置においてフレームレートを６０Ｈｚにした場合、電荷保持容量４１４は、画像の書き換え後１６６６７μｓの期間は、入力されたデータ信号の電圧レベルを維持しておく必要がある。
【００２８】
次に、特許文献３には、ＯＬＥＤ素子を備えた発光装置に使用されるトランジスタについて、外部からの光が照射されることで電流が発生し、発光装置が誤動作するという問題点があることが指摘されている。また特許文献３には、前記の誤動作を防止すべく、２種類のトランジスタで構成される周辺回路部と光の出射面との間を補助配線で遮光する技術が開示されている。
【先行技術文献】
【特許文献】
【００２９】
【特許文献１】特許第６６４１４６９号明細書
【特許文献２】特許第４０５２８６５号明細書
【特許文献３】特開２００７−１４７８１４号公報
【発明の概要】
【発明が解決しようとする課題】
【００３０】
ここで、従来の電子機器では、ＯＬＥＤ表示装置の裏面には発光源がないため、トランジスタで構成される周辺回路部に遮光対策がなされていないものが一般的である。そのため、従来の電子機器において、ＯＬＥＤ表示装置の裏面に例えば光検知方式の近接センサを配置すると、近接センサから出射された赤外光がＯＬＥＤ表示装置に入射してトランジスタを照射し、トランジスタに電流が発生する。そして、この電流発生に起因して、画素内の電荷保持容量が電荷の充電または放電を行ってしまう。
【００３１】
そのため電荷保持容量は、近接センサから出射された赤外光がＯＬＥＤ表示装置に入射することにより、入力されたデータ信号の電圧を維持するための電荷量を保持できなくなる。その結果、ＯＬＥＤ表示装置の表示画面における、近接センサから出射された赤外光が照射される表示領域（以下、「特定表示領域」：詳細は後述）のみ、表示イメージが異常な状態となる。なお、この異常な状態の表示イメージは、表示画面に表示された画像中の異常な画像部分が人の肉眼では「点」のように見えることから、以下の説明では、前記の異常な画像部分を「異常点」と称する。
【００３２】
この点、特許文献１の近接センサ等および特許文献２の表示装置には、近接センサから出射される赤外光に起因する異常点への対策が施されていない。また、特許文献３の発光装置には、補助配線を用いた遮光という誤動作防止対策が施されているものの、この対策は外部から発光装置に入射した光を対象とするものであり、発光装置の裏面に配置される近接センサから出射された光を対象とするものではない。そのため、特許文献３に開示された誤動作防止対策は、近接センサから出射される光に起因する異常点への対策としては不十分であった。
【００３３】
本発明の一態様は、前記の問題点に鑑みてなされたものであり、その目的は、近接センサから出射される光に起因する異常点発生の期間を短縮することにある。
【課題を解決するための手段】
【００３４】
前記の課題を解決するために、本発明の一態様に係る近接センサは、表示装置の表示画面における特定表示領域の配置箇所に対応する箇所に配置され、前記表示画面に検知対象体が近接しているか否かを検知する近接センサであって、光を出射する発光素子と、前記表示装置から出力された、前記表示画面に表示された画像の書き換えのタイミングを示す同期信号が入力される同期信号入力部と、前記発光素子の前記光の出射を制御する出射制御部と、を備え、前記出射制御部は、（ｉ）前記特定表示領域で前記画像の走査線の書き換えが開始される書き換えタイミングと、前記発光素子の前記光の出射時間と、に基づいて設定された開始タイミングで、前記発光素子に前記光の出射を開始させ、かつ、（ｉｉ）前記書き換えタイミングになる前に、前記発光素子に前記光の出射を終了させる。
【発明の効果】
【００３５】
本発明の一態様によれば、近接センサから出射される光に起因する異常点発生の期間を短縮することができる。
【図面の簡単な説明】
【００３６】
【図１】本発明の実施形態１および２に係る電子機器の表示装置における要部の回路図である。
【図２】前記表示装置の動作タイミングを示す図である。
【図３】本発明の実施形態１に係る近接センサの機能的構成を示すブロック図である。
【図４】６０Ｈｚで出力される垂直同期信号の動作タイミングを示す図である。符号４０１は、ハイパルスの垂直同期信号の動作タイミングを示す図である。符号４０２は、ローパルスの垂直同期信号の動作タイミングを示す図である。
【図５】本発明の実施形態１に係る同期信号入力部の要部の回路図である。
【図６】符号６０１は、前記同期信号入力部から出力される入力検知信号の動作タイミングを示す図である。符号６０２は、本発明の実施形態１に係る開始タイミング設定部から出力される遅延信号の動作タイミングを示す図である。
【図７】前記開始タイミング設定部の機能的構成を示すブロック図である。
【図８】本発明の実施形態１に係る電子機器の概略構成を示す正面図である。
【図９】符号９０１は、前記同期信号入力部に入力される垂直同期信号の動作タイミングを示す図である。符号９０２は、本発明の実施形態１に係るセンサ制御部から出力される発光信号の動作タイミングを示す図である。
【図１０】本発明の実施形態２に係る近接センサの機能的構成を示すブロック図である。
【図１１】本発明の実施形態２に係る電子機器の概略構成を示す正面図である。
【図１２】特許文献１に開示された近接センサの動作原理を示す概略図である。
【図１３】前記近接センサの機能的構成を示すブロック図である。
【図１４】液晶表示装置を搭載した従来の携帯電話の概略構成を示す正面図である。
【図１５】ＯＬＥＤ表示装置を搭載した従来の携帯電話の概略構成を示す断面図である。
【図１６】特許文献２に開示された表示装置の画素の要部構成を示す回路図である。
【発明を実施するための形態】
【００３７】
〔電子機器６０および９０の表示装置の概要〕
以下、図１および２を用いて、本発明の実施形態１に係る電子機器６０の表示装置の概要、および本発明の実施形態２に係る電子機器９０の表示装置の概要について、纏めて説明する。本明細書では、電子機器６０の表示装置と電子機器９０の表示装置とは同一であり、ともにＯＬＥＤ表示装置であるものとする。電子機器６０および９０としては、例えば携帯電話、タッチパネル機能付きの家電製品、スマートフォン、タブレット端末、メディアプレーヤなどを挙げることができる。
【００３８】
なお、電子機器６０の表示装置と電子機器９０の表示装置とが同一である必要は必ずしもなく、例えばいずれか一方の表示装置のみがＯＬＥＤ表示装置であってもよい。この場合、ＯＬＥＤ表示装置でない他方の表示装置は、裏面側に後述の近接センサ１０または８０が配置されても近接センサ１０および８０のいずれもがその機能を発揮できるものであればよい。具体的には、ＯＬＥＤ表示装置でない他方の表示装置は、検知対象体からの反射光を近接センサ１０および８０の受光素子１３（詳細は後述）が受光できるように、外部から入射した入射光の少なくとも一部が表示装置の裏面を透過するものであればよい。前記の「ＯＬＥＤ表示装置でない他方の表示装置」としては、例えばバックライトの無い自発光型の表示パネルを備えた表示装置を挙げることができる。
【００３９】
＜表示装置の概略構成＞
表示装置は、図１に示すように、マトリックス状に配置された複数の画素７１、走査線駆動回路７６、データ線駆動回路７７およびタイミング制御回路７８を備えている。複数の画素７１で、表示装置の表示画面６１および９１が構成される。表示画面６１と表示画面９１とは、同一の表示画面である。なお、表示画面６１については図８を参照されたい。また、表示画面９１については図１１を参照されたい。
【００４０】
画素７１は、ＯＬＥＤ素子７２、第１ＴＦＴ７３、第２ＴＦＴ７４および電荷保持容量７５を有している。ＯＬＥＤ素子７２は、図１６に示すＯＬＥＤ素子４１１と同一の機能を有する。第１ＴＦＴ７３は、スイッチング用の薄膜トランジスタであり、図１６に示す第１ＴＦＴ４１２と同一の機能を有する。第２ＴＦＴ７４は、ＯＬＥＤ素子駆動用の薄膜トランジスタであり、図１６に示す第２ＴＦＴ４１３と同一の機能を有する。電荷保持容量７５は、第１ＴＦＴ７３のドレイン電極と第２ＴＦＴ７４のゲート電極との間に接続されており、図１６に示す電荷保持容量４１４と同一の機能を有する。
【００４１】
タイミング制御回路７８には、主として、垂直同期信号Ｓ１６、水平同期信号Ｓ８６および画像が入力される。垂直同期信号Ｓ１６は画像の１画面の開始位置を示し、水平同期信号Ｓ８６は１ライン分の画像の開始位置を示す。言い換えれば、垂直同期信号Ｓ１６は画像の書き換えの開始を示し、水平同期信号Ｓ８６は走査線６４（図８参照）の書き換えの開始を示す。走査線６４は、走査によって描かれた画像を構成する画素の、横１行分の軌跡である。なお、本明細書において「横」とは、紙面向かって左右方向を指すものとする。
【００４２】
タイミング制御回路７８は、垂直同期信号Ｓ１６、水平同期信号Ｓ８６および画像が入力されることにより、走査線駆動回路７６を駆動する信号とデータ線駆動回路７７を駆動する信号とを生成し、それぞれの信号を出力する（詳細については後述）。
【００４３】
第１ＴＦＴ７３のゲート電極には、走査線駆動回路７６から出力された信号が入力され、ソース電極には、データ線駆動回路７７から出力された信号（具体的には、表示画面６１および９１に表示させる画像）が入力される。第１ＴＦＴ７３がオンになったとき、ソース電極に入力されたデータ線駆動回路７７からの信号が、電荷保持容量７５に保持される。そして、電荷保持容量７５に保持された前記信号の電圧値に比例する電流が、第２ＴＦＴ７４のソース電極とドレイン電極との間に流れることにより、ＯＬＥＤ素子７２の発光輝度が決まる。
【００４４】
＜表示装置の動作タイミング＞
タイミング制御回路７８は、タイミング制御回路７８は、入力された水平同期信号Ｓ８６に基づいてパルス信号ＳＰおよびＬＰを生成し、データ線駆動回路７７に出力する。またタイミング制御回路７８は、入力された垂直同期信号Ｓ１６に基づいてパルス信号ＧＰ１〜ＧＰ４を生成し、データ線駆動回路７７に出力する。
【００４５】
具体的にはタイミング制御回路７８は、シリアルに入力される画像のうち、各ラインの先頭の画像を示すタイミングでパルス信号ＳＰを出力する。パルス信号ＳＰが入力されたデータ線駆動回路７７は、図２に示すように、パルス信号ＳＰが入力されたタイミングで各ライン分の画像のサンプリングを開始する。
【００４６】
またタイミング制御回路７８は、１ライン分の画像のサンプリングが終了する毎に、当該サンプリングが終了するタイミングでパルス信号ＬＰを出力する。パルス信号ＬＰが入力されたデータ線駆動回路７７は、図２に示すように、パルス信号ＬＰが入力されたタイミングで、各ライン分の画像に対応するアナログデータを画素信号線Ｓ１〜Ｓ４に順次出力する。アナログデータは、画像をＤＡ変換して得られた電圧である。
【００４７】
データ線駆動回路７７は、各ライン分のアナログデータが画素信号線Ｓ１〜Ｓ４に出力されているときに、パルス信号ＧＰ１〜ＧＰ４を順次出力して第１ＴＦＴ７３のゲート電極をオンにする。例えばデータ線駆動回路７７は、１ライン目の画像に対応するアナログデータが画素信号線Ｓ１に出力されているとき、図２に示すように、パルス信号ＧＰ１を出力して１ライン目の画素信号線Ｓ１と接続している第１ＴＦＴ７３のゲート電極をオンにする。
【００４８】
ここで、パルス信号ＧＰ１〜ＧＰ４は、タイミング制御回路７８に垂直同期信号Ｓ１６が入力される毎に、最初の画素７１の行に戻って出力される。「最初の画素７１の行」とは、図２に示す複数の画素７１のうち、紙面向かって最も上側に配置された画素７１の行を指す。よって、後述の近接センサ１０および８０に備えられた発光素子１２の配置位置は、垂直同期信号Ｓ１６のフレームレートおよび後述の走査線６４の本数から算出することができる。
【００４９】
一方、水平同期信号Ｓ８６は、１ライン分の画像毎にパルス信号として発生する。そのため、水平同期信号Ｓ８６自体を近接センサ１０および８０の同期信号（詳細は後述）として使用することはできない。よって、近接センサ８０には、水平同期信号Ｓ８６から同期信号として使用することが可能なカウント信号Ｓ８７を生成するカウント信号生成部８２（図１０参照：詳細は後述）が備えられている。これにより、水平同期信号Ｓ８６を用いても、発光素子１２の配置位置を特定することができる。なお、例えば水平同期信号Ｓ８６に基づいて生成したＳＰをカウントすることによっても、発光素子１２の光の出射タイミングを調整（言い換えれば、発光素子１２の配置位置を特定）することができる。
【００５０】
〔実施形態１〕
図３〜図９を用いて、本発明の実施形態１について説明する。なお説明の便宜上、本実施形態にて説明した部材と同じ機能を有する部材については、後掲の実施形態２では、同じ符号を付記してその説明を繰り返さない。
【００５１】
近接センサ１０は、電子機器６０の表示装置の表示画面６１（図８参照）に、検知対象体（図１２中の「検知対象物１１０」と同一）が近接しているか否かを検知する光検出方式の光学センサである。近接センサ１０は、図３に示すように、センサ制御部（出射制御部）１１、発光素子１２、受光素子１３、ＡＤ変換部１４、同期信号入力部１５および開始タイミング設定部１６を備えている。
【００５２】
＜同期信号入力部１５＞
（同期信号入力部１５の概要）
同期信号入力部１５には、表示装置から出力された同期信号が入力される。同期信号は、表示装置の表示画面６１に表示された画像の書き換えのタイミングを示す。本実施形態では、図３に示すように、同期信号入力部１５に同期信号として垂直同期信号Ｓ１６が入力される。同期信号入力部１５は、垂直同期信号Ｓ１６が入力されたことを検知すると、開始タイミング設定部１６に入力検知信号Ｓ１７を出力する。
【００５３】
ここで、図４を用いて、表示装置のフレームレートが６０Ｈｚの場合における、同期信号入力部１５に入力される垂直同期信号Ｓ１６について説明する。通常駆動時の電圧レベルがローレベルであり、画像の書き換え開始時に電圧レベルがローレベルからハイレベルに遷移する表示装置における、垂直同期信号Ｓ１６のタイミング波形は、例えば図４の符号４０１のようなパルス波形となる。垂直同期信号Ｓ１６のパルス幅は、電子機器毎および表示装置毎に異なるものの、一般的には数μｓ以上である。また、垂直同期信号Ｓ１６の周期はフレームレートの逆数となり、フレームレートが６０Ｈｚであれば、周期は約１６６６７μｓとなる。
【００５４】
一方、通常駆動時の電圧レベルがハイレベルであり、画像の書き換え開始時に電圧レベルがハイレベルからローレベルに遷移する表示装置における、垂直同期信号Ｓ１６のタイミング波形は、例えば図４の符号４０２のようなパルス波形となる。この場合における垂直同期信号Ｓ１６のパルス幅も一般的には数μｓ以上であり、周期も約１６６６７μｓとなる。
【００５５】
このように表示装置は、同一のフレームレート（６０Ｈｚ）において、２種類の異なるパルス波形の垂直同期信号Ｓ１６のいずれかを出力する。以下、信号のパルス波形の種類を「極性」と称する。また、図４の符号４０１のような信号のパルス波形の極性を「ハイパルス」と称し、図４の符号４０２のような信号のパルス波形の極性を「ローパルス」と称する。
【００５６】
上述のように、垂直同期信号Ｓ１６は極性およびパルス幅が一律ではないため、同期信号入力部１５は、垂直同期信号Ｓ１６が入力されたことをパルス幅ではなくエッジで検知することが望ましい。エッジとは、ハイパルスの垂直同期信号Ｓ１６であれば、図４の符号４０１に示すように、当該垂直同期信号Ｓ１６がローレベルからハイレベルに遷移する瞬間の波形の立ち上がり部分Ｅ１を指す。またローパルスの垂直同期信号Ｓ１６であれば、エッジとは、図４の符号４０２に示すように、当該垂直同期信号Ｓ１６がハイレベルからローレベルに遷移する瞬間の波形の立ち下がり部分Ｅ２を指す。以下、ハイパルスの垂直同期信号Ｓ１６におけるエッジを「立ち上がりエッジＥ１」と称し、ローパルスの垂直同期信号Ｓ１６におけるエッジを「立ち下がりエッジＥ２」と称する。
【００５７】
同期信号入力部１５は、表示装置がハイパルスまたはローパルスの垂直同期信号Ｓ１６のいずれを出力かに応じて、垂直同期信号Ｓ１６の入力を立ち上がりエッジＥ１または立ち下がりエッジＥ２のいずれかで検知できるように検知方法を選択できるのが望ましい。勿論、垂直同期信号Ｓ１６の入力を立ち上がりエッジＥ１または立下りエッジＥ２のいずれか一方のみで検知してもよいし、エッジではなくパルス幅で検知してもよい。
【００５８】
（同期信号入力部１５の要部の構成）
図５を用いて、同期信号入力部１５の要部の構成について説明する。同期信号入力部１５は、図５に示すように、極性反転部３１とエッジ検出部３２とを有している。表示装置から出力された垂直同期信号Ｓ１６は、同期信号入力部１５の極性反転部３１に直接入力される。
【００５９】
極性反転部３１は、入力された垂直同期信号Ｓ１６の極性に応じて当該極性を反転させる。極性反転部３１は、図５に示すように、インバータ３３とマルチプレクサ３４とを有している。インバータ３３は、極性反転部３１に入力された垂直同期信号Ｓ１６の極性を反転させる。マルチプレクサ３４は、極性反転部３１に入力された垂直同期信号Ｓ１６と、インバータ３３からの出力信号とが入力され、両信号のいずれか一方を出力する。極性反転部３１（具体的にはマルチプレクサ３４）から出力され得る、極性反転部３１に入力された垂直同期信号Ｓ１６とインバータ３３からの出力信号とを、纏めて「反転信号」と称する。
【００６０】
またマルチプレクサ３４には、前記の垂直同期信号Ｓ１６または前記の出力信号のいずれを出力するかを選択するための信号として、極性選択信号Ｓ３１が入力される。例えば極性反転部３１に入力された垂直同期信号Ｓ１６の極性がハイパルスの場合、極性選択信号Ｓ３１の極性がローであれば、マルチプレクサ３４は、極性反転部３１に入力された垂直同期信号Ｓ１６（極性：ハイパルス）をそのまま出力する。一方、極性反転部３１に入力された垂直同期信号Ｓ１６の極性がローパルスの場合、極性選択信号Ｓ３１の極性がハイであれば、マルチプレクサ３４は、インバータ３３からの出力信号（極性：ハイパルス）を出力する。
【００６１】
このように極性反転部３１は、反転信号として、常に極性がハイパルスの垂直同期信号Ｓ１６を出力する。そのため、エッジ検出部３２には、立ち上がりエッジＥ１のみを検出する機能があればよい。
【００６２】
エッジ検出部３２は、極性反転部３１から出力された反転信号のエッジを検出することにより、同期信号入力部１５に垂直同期信号Ｓ１６が入力されたことを検知する。本実施形態では、エッジ検出部３２は、上述のように立ち上がりエッジＥ１のみを検出する。
【００６３】
エッジ検出部３２は、奇数段のインバータ３３で構成されるインバータ群とＡＮＤ回路３５とを有している。インバータ群は、エッジ検出部３２に入力された反転信号を反転および遅延させる。ＡＮＤ回路３５には、エッジ検出部３２に入力された反転信号とインバータ群からの出力信号とが入力される。
【００６４】
反転信号がローレベルのとき、インバータ群はハイレベルの出力信号を出力し、ＡＮＤ回路３５はローレベルの出力信号を出力する。次に、反転信号がローレベルからハイレベルに遷移したとき、インバータ群からの出力信号がハイレベルからローレベルに遷移するまでの間には、インバータ３３の段数に応じて遅延時間が生じる。そのため、遅延時間が経過するまでの間、ＡＮＤ回路３５に入力される２つの入力信号はともにハイレベルになることから、ＡＮＤ回路３５はハイレベルの出力信号を出力する。次に、遅延時間の経過後、インバータ群からの出力信号がローレベルに遷移すると、ＡＮＤ回路３５からの出力信号もハイレベルからローレベルに遷移する。
【００６５】
上述したＡＮＤ回路３５からの出力信号が、同期信号入力部１５からの出力信号となる。以下、ＡＮＤ回路３５からの出力信号、つまり同期信号入力部１５からの出力信号を「入力検知信号Ｓ１７」と称する。
【００６６】
なお、図５に示す同期信号入力部１５の回路構成、および上述した垂直同期信号Ｓ１６の入力の検知方法はあくまで一例であり、どのような回路構成および検知手法を採用してもよい。また、表示装置から出力される垂直同期信号Ｓ１６および同期信号入力部１５から出力される入力検知信号Ｓ１７の各極性も、ハイパルスまたはローパルスのいずれかに限定するものではない。
【００６７】
＜開始タイミング設定部１６＞
（開始タイミング設定部１６の概要）
開始タイミング設定部１６には、同期信号入力部１５から出力された入力検知信号Ｓ１７が入力される。開始タイミング設定部１６は、発光素子１２が光の出射を開始する開始タイミングを設定する。言い換えれば、開始タイミング設定部１６は、同期信号入力部１５に垂直同期信号Ｓ１６が入力されたときから近接センサ１０による検知開始までの間の時間を調整する機能を有する。そしてこの機能は、開始タイミング設定部１６が、入力検知信号Ｓ１７の入力をトリガとして設定した遅延時間の経過後に、遅延信号Ｓ１８をセンサ制御部１１に出力することで実現される。
【００６８】
以上より、「開始タイミング設定部１６が開始タイミングを設定する」とは、具体的には開始タイミング設定部１６が遅延信号Ｓ１８をセンサ制御部１１に出力することを指す。また、「開始タイミングが設定された」とは、具体的にはセンサ制御部１１に遅延信号Ｓ１８が入力されたことを指す。
【００６９】
さらに、「同期信号入力部１５に垂直同期信号Ｓ１６が入力されたとき」とは、具体的には、開始タイミング設定部１６が、同期信号入力部１５から垂直同期信号Ｓ１６の入力を検知した旨の検知結果を受信したときのことを指す。言い換えれば、同期信号入力部１５から出力された入力検知信号Ｓ１７が、開始タイミング設定部１６に入力されたときのことを指す。
【００７０】
遅延時間は、同期信号入力部１５に垂直同期信号Ｓ１６が入力されたときから書き換えタイミングになるまでの間の基準時間と、発光素子１２の光の出射時間との差分時間の一例である。書き換えタイミングは、表示装置の表示画面６１の特定表示領域６５で、画像の走査線６４の書き換えが開始されるタイミングである。なお、表示画面６１、特定表示領域６５および走査線６４のそれぞれについては、図８を参照されたい。また、書き換えタイミング、基準時間および特定表示領域６５の詳細については後述する。
【００７１】
ここで、図６を用いて、遅延時間の設定および調整について説明する。入力検知信号Ｓ１７は、垂直同期信号Ｓ１６と同じ周波数で動作する。そのため、垂直同期信号Ｓ１６の周波数が６０Ｈｚの場合、入力検知信号Ｓ１７も同様に６０Ｈｚで動作し、その周期は図６の符号６０１に示すように約１６６６７μｓとなる。
【００７２】
近接センサ１０が電子機器６０の表示装置の裏面におけるどの空間に配置されても、その機能を発揮できるようにするには、開始タイミング設定部１６が、遅延時間として最長で垂直同期信号Ｓ１６の周期まで設定できる必要がある。具体的には、図６の符号６０２に示すように、開始タイミング設定部１６は最長で約１６６６７μｓの遅延時間を設定できる必要がある。また遅延時間の調整幅は、特定表示領域６５において画像の走査線６４が書き換わるタイミングで、近接センサ１０の検知が終了するように（言い換えれば、発光素子１２の光の出射が終了するように）、精度よく設定できる必要がある。
【００７３】
例えば、表示装置の表示画面６１の画素数が１９２０×１０８０のフルハイビジョンの解像度であり、かつ、表示画面６１に表示される画像の走査線が合計１９２０本の場合、遅くとも約８．７μｓ毎に走査線６４が１本ずつ書き換わっていくことになる。そのため、開始タイミング設定部１６は、遅延時間を約１０μｓの調整幅で調整できる回路構成にすることが望ましい。
【００７４】
（開始タイミング設定部１６の要部の構成）
図７を用いて、開始タイミング設定部１６の要部の構成について説明する。開始タイミング設定部１６は、図７に示すように、カウンタ回路５１と比較回路５２とを有している。カウンタ回路５１には、同期信号入力部１５から出力された入力検知信号Ｓ１７が直接入力される。カウンタ回路５１は、入力検知信号Ｓ１７が入力されたときから時間計測を開始する。またカウンタ回路５１は、時間計測の開始後、デジタル値（出力値）を表すカウンタ回路出力信号Ｓ５１を順次出力する。
【００７５】
比較回路５２には、カウンタ回路５１から出力されたカウンタ回路出力信号Ｓ５１と遅延時間設定信号Ｓ１９とが入力される。遅延時間設定信号Ｓ１９は、遅延時間の設定値を比較回路５２に送信するための信号であり、カウンタ回路５１からカウンタ回路出力信号Ｓ５１が出力されたことをトリガとして、センサ制御部１１から出力される。遅延時間の設定値は、センサ制御部１１に設定値を表す入力信号Ｓ１１が入力されることにより、センサ制御部１１内のレジスタ（不図示）に格納される。
【００７６】
入力信号Ｓ１１は、例えばユーザが、電子機器６０の表示装置の表示画面６１上で遅延時間の設定操作を行うことにより、表示装置から出力される。なお遅延時間の設定値は、入力信号Ｓ１１によって設定されるのではなく、例えば近接センサ１０の製造段階で前記のレジスタに予め格納されていてもよい。
【００７７】
比較回路５２は、時間計測の開始後にカウンタ回路５１から順次出力されるカウンタ回路出力信号Ｓ５１のデジタル値と、遅延時間設定信号Ｓ１９の設定値とを比較する。そして、カウンタ回路出力信号Ｓ５１のデジタル値と遅延時間設定信号Ｓ１９の設定値とが一致したとき、比較回路５２は遅延信号Ｓ１８をセンサ制御部１１に出力する。開始タイミング設定部１６、具体的には比較回路５２は、遅延信号Ｓ１８を出力することによって開始タイミングを設定する。
【００７８】
開始タイミング設定部１６は、上述のようにして、開始タイミングを垂直同期信号Ｓ１６が入力したときから所望の時間だけ遅らせることができる。なお、図７に示す開始タイミング設定部１６の回路構成、および上述した遅延信号Ｓ１８の出力方法はあくまで一例であり、どのような回路構成および出力手法を採用してもよい。
【００７９】
＜センサ制御部１１等の概要＞
センサ制御部１１には、開始タイミング設定部１６から出力された遅延信号Ｓ１８が入力される。遅延信号Ｓ１８が入力されたセンサ制御部１１は、開始タイミングになったら、図３に示すように発光信号Ｓ１２を出力して発光素子１２に光を出射させる。また、センサ制御部１１は、近接センサの各部および各回路を統括的に制御する。さらに、センサ制御部１１は、電子機器６０に制御信号Ｓ１５を出力する。制御信号Ｓ１５は、従来の近接センサ１００のセンサ制御部１０１から出力される制御信号Ｓ１０５と同一である（図１３参照）。
【００８０】
発光素子１２は、検知対象体を検知するための光を出射する素子であり、例えばＬＥＤ（Light Emmitting Diode）または半導体レーザー素子である。ＬＥＤおよび半導体レーザー素子は電流が供給されることで発光するため、発光素子１２としてＬＥＤまたは半導体レーザー素子を用いる場合には、発光素子１２は電流駆動回路（不図示）と組み合わせて用いられる。また、発光素子１２から出射される光としては、人の肉眼では認識できない赤外光が一般的である。
【００８１】
受光素子１３には、一般的にはフォトダイオード等の半導体受光素子が用いられる。フォトダイオードは、光を検知することで電流を発生する素子である。受光素子１３は、発光素子１２から出射された光（例えば赤外光）が検知対象体で反射された反射光を受光することにより、電流を発生させる（図１２参照）。そして受光素子１３は、発生させた電流の電流値を表す受光信号Ｓ１３をＡＤ変換部１４に出力する。
【００８２】
ＡＤ変換部１４は、積分回路およびコンパレータ回路（いずれも不図示）等で構成されており、受光信号Ｓ１３の入力に伴って流入した電荷の電荷量を検出することにより、アナログ信号である受光信号Ｓ１３をデジタル信号Ｓ１４にＡＤ変換する。ＡＤ変換部１４で生成されたデジタル信号Ｓ１４は、近接センサ１０と検知対象体との距離と相関のあるデジタル値を表しており、センサ制御部１１に出力される。
【００８３】
センサ制御部１１は、入力されたデジタル信号Ｓ１４のデジタル値を電子機器６０に直接出力してもよい。またセンサ制御部１１は、デジタル信号Ｓ１４のデジタル値と予め設定された閾値とを比較する判定回路を有していれば、検知対象体が閾値を基準として近接センサ１０に対して近いか遠いかを判定し、判定結果を１ビットの信号として出力してもよい。
【００８４】
例えば、近接センサ１０と検知対象体との距離が１００ｍｍのときを基準として「１００ｍｍ」のデジタル値を閾値として設定すれば、検知対象体が、距離１００ｍｍを基準として近接センサ１０に対して近いか遠いかを判定することができる。そして、近接センサ１０と検知対象体との距離が１００ｍｍよりも近いときは「０」を、逆に遠いときは「１」を出力することで、判定結果を１ビットの信号として出力することができる。
【００８５】
＜近接センサ１０における検知タイミングの設定方法＞
図８および図９を用いて、近接センサ１０における検知タイミングの設定方法について説明する。検知タイミングは、近接センサ１０による検知対象体の検知が開始する検知開始タイミング、および近接センサ１０による検知対象体の検知が終了する検知終了タイミングの両者を含む概念である。検知開始タイミングは、言い換えれば開始タイミング設定部１６が設定する開始タイミング、つまり発光素子１２が光の出射を開始するタイミングとなる。検知終了タイミングは、発光素子１２が光の出射を終了するタイミングとなる。
【００８６】
電子機器６０は、図８に示すように表示画面６１の大画面化が図られていることから、電子機器６０の筐体の額縁部は、正面視した場合の表面積が小さくなっている。額縁部は、電子機器６０の筐体における表示装置の周囲を取り囲む部分である。そのため、電子機器６０には、筐体の額縁部に、近接センサ１０から出射された光および検知対象体からの反射光を筐体に通過させるための開口部を形成することが困難である。よって近接センサ１０は、図８に示すように、筐体の内部における、表示装置（具体的には表示画面６１）の裏面の空間に配置される。
【００８７】
近接センサ１０は、前記の空間内であればどの箇所に配置されてもよく、例えば、近接センサ１０が検知対象体の存在を最も広範に検知できるような箇所（以下。「ターゲット箇所」）に配置するのが望ましい。近接センサ１０をターゲット箇所に配置した場合、当該ターゲット箇所に対応する表示画面６１の表示領域では、近接センサ１０から出射される光および検知対象体からの反射光が透過する。
【００８８】
このようなターゲット箇所に対応する表示画面６１の表示領域が、図８に示すような特定表示領域６５となる。つまり、近接センサ１０は、表示装置の表示画面６１における特定表示領域６５の配置箇所に対応する箇所（ターゲット箇所）に配置される光検出方式の光学センサと言える。本実施形態では、図８に示すように、電子機器６０の筐体内部における表示画面６１の中央付近の表示領域に対応する空間がターゲット箇所となっており、近接センサ１０はこのターゲット箇所に配置されている。
【００８９】
電子機器６０の表示装置は、ＯＬＥＤ制御装置６２とＯＬＥＤ駆動装置６３とによって画像の書き換えが制御される。ＯＬＥＤ制御装置６２は、表示装置が画像の書き換えを行うタイミングを決める同期信号および画像を、ＯＬＥＤ駆動装置６３に出力する。同期信号としては、垂直同期信号Ｓ１６および水平同期信号Ｓ８６を挙げることができ、本実施形態では、同期信号は垂直同期信号Ｓ１６である。
【００９０】
ＯＬＥＤ駆動装置６３は、ＯＬＥＤ制御装置６２から出力される同期信号および画像に応じて、表示装置が画像を書き換えるための電圧を表示装置に順次出力していく。図８中の表示画面６１上に点線で表示された矢印線は、表示装置の表示画面６１に表示された画像の走査線６４を示す。
【００９１】
以下、表示装置が１９２０×１０８０のフルハイビジョンの解像度、かつフレームレートが６０Ｈｚの場合を例に挙げて、近接センサ１０における検知タイミングの設定方法について説明する。また、以下の説明では、近接センサ１０の発光素子１２における光の出射時間が、図９の符号９０２に示すように５００μｓであるものとする。なお発光素子１２の光の出射時間は、近接センサ１０の感度、応答速度および消費電流を考慮して、数百μｓ〜数ｍｓに設定されるのが一般的である。ただし、発光素子１２の光の出射時間は、例えばセンサ制御部１１のレジスタにより設定変更されてもよい。
【００９２】
表示装置のフレームレートが６０Ｈｚの場合、画像の書き換えが約１６６６７μｓの周期で行われるため、表示装置の表示画面６１に表示される画像の走査線６４は、一本当たり１６６６７μｓ／１９２０≒８．６８μｓごとに更新される。近接センサ１０は、走査線６４の本数を用いて配置箇所を説明すれば、表示画面６１における９６０本目の走査線６４の発生箇所付近に対応するターゲット箇所に配置されている。９６０本目の走査線６４は、図９の符号９０１に示すように、垂直同期信号Ｓ１６の同期信号入力部１５への入力から８．６８μｓ×９６０≒８３３３μｓ後に書き換わる。
【００９３】
ここで、近接センサ１０をターゲット箇所に配置すると、近接センサ１０の発光素子１２から出射される光（赤外光）が表示装置を透過することに起因して、表示画面６１上に異常点が発生する。異常点の発生期間を極力短くするには、９６０本目の走査線６４の書き換え開始の直前に発光素子１２の光の出射を終了させる必要がある。また、発光素子１２の光の出射期間中に書き換わる走査線６４の本数を、なるべく少なくする必要もある。つまり、９６０本目の走査線６４の書き換え開始の直前を検知終了タイミングとし、かつ、発光素子１２の光の出射期間中に書き換わる走査線６４の本数がなるべく少なくなるような開始タイミングを検知開始タイミングとする必要がある。
【００９４】
具体的には、書き換えタイミングと発光素子１２の光の出射期間（言い換えれば、光の出射時間）とを考慮して、遅延時間を設定すればよい。つまり、同期信号入力部１５に垂直同期信号Ｓ１６が入力されたときから９６０本目の走査線６４が書き換わる開始タイミングまでの基準時間と、発光素子１２の光の出射時間との差分となる差分時間に応じて、遅延時間を設定すればよい。この例では、基準時間が８３３３μｓであり、発光素子１２の光の出射時間が５００μｓである。したがって、差分時間は、８３３３μｓ−５００μｓ＝７８３３μｓとなる。ここで、開始タイミング設定部１６による遅延時間の調整幅が１０μｓ単位であるならば、９６０本目の走査線６４の書き換えが開始される直前を検知終了タイミングにする必要があることから、例えば７８３０μｓを遅延時間として設定すればよい。
【００９５】
上述した遅延時間の算出は、下記の式（１）を用いて行うことができる。つまり、遅延時間Ｔｉｍｅ＿Ｄｅｌａｙは、下記の式（１）を満たす最大値にすればよい。
【００９６】
Ｔｉｍｅ＿Ｄｅｌａｙ＜（１／ｆ）／Ｎｕｍ＿Ｈ×Ｈ−Ｔｉｍｅ＿ＩＲ・・・（１）
ｆ［Ｈｚ］：表示装置のフレームレート
Ｎｕｍ＿Ｈ［本］：表示画面６１に表示される画像の走査線６４の本数の合計値
Ｔｉｍｅ＿ＩＲ［μｓ］：近接センサ１０が、表示画面６１におけるＨ番目に書き換わる走査線６４の表示領域に対応するターゲット箇所に設置された場合の、発光素子１２の光の出射時間
Ｔｉｍｅ＿Ｄｅｌａｙ［μｓ］：遅延時間
〔実施形態２〕
図１０および図１１を用いて、本発明の実施形態２について説明する。本発明の実施形態２に係る電子機器９０は、近接センサ１０に替えて近接センサ８０を備えている点で、本発明の実施形態１に係る電子機器６０と異なる。なお、電子機器９０の表示装置の表示画面９１は、電子機器６０の表示装置の表示画面６１と同一である。また、表示画面９１における特定表示領域９５は、表示画面６１における特定表示領域６５と同一である。
【００９７】
本発明の実施形態２に係る近接センサ８０は、開始タイミング設定部１６を備えていない点、センサ制御部１１に替えてセンサ制御部８１を備えている点、およびカウント信号生成部８２を備えている点で、本発明の実施形態１に係る近接センサ１０と異なる。
【００９８】
＜近接センサ８０の要部の構成＞
図１０を用いて、近接センサ８０の要部の構成について説明する。近接センサ８０は、図１０に示すように、表示装置から順次出力された水平同期信号Ｓ８６をカウント信号生成部８２に入力する。カウント信号生成部８２は、入力された水平同期信号Ｓ８６に基づいて、同期信号として使用することが可能なカウント信号Ｓ８７を生成する。
【００９９】
具体的には、カウント信号生成部８２は、入力された水平同期信号Ｓ８６の数をカウントする。そしてカウント信号生成部８２は、図１１に示す表示画面９１に表示される１本目の走査線６４（図８参照）から特定表示領域９５に生じる走査線６４までの総本数と同数の水平同期信号Ｓ８６をカウントしたとき、カウント信号Ｓ８７を生成する。そして、カウント信号生成部８２は、生成したカウント信号Ｓ８７を同期信号入力部１５に出力する。
【０１００】
同期信号入力部１５は、同期信号としてカウント信号Ｓ８７が入力されることにより、入力検知信号Ｓ８８を生成する。そして、同期信号入力部１５は、生成した入力検知信号Ｓ８８をセンサ制御部８１に出力する。入力検知信号Ｓ８８は、本発明の実施形態１に係る同期信号入力部１５が出力する入力検知信号Ｓ１７と同一であり、入力検知信号Ｓ８８の生成方法も、本発明の実施形態１に係る同期信号入力部１５と同様である。
【０１０１】
センサ制御部８１は、同期信号入力部１５にカウント信号Ｓ８７が入力されたときを開始タイミングとする。具体的にはセンサ制御部８１は、同期信号入力部１５から出力された入力検知信号Ｓ８８がセンサ制御部１１に入力されたときを、開始タイミングとする。そしてセンサ制御部８１は、入力検知信号Ｓ８８が入力された開始タイミングで、発光信号Ｓ１２を発光素子１２に出力する。その他のセンサ制御部８１の機能は、本発明の実施形態１に係るセンサ制御部１１と同一である。また、近接センサ８０の各部による、センサ制御部８１の発光信号Ｓ１２の出力以降の一連の動作は、本発明の実施形態１に係る近接センサ１０と同一である。
【０１０２】
このようにカウント信号生成部８２を設けることにより、水平同期信号Ｓ８６を同期信号としても、また開始タイミング設定部１６を備えていなくても、近接センサ８０は異常点の発生期間を短縮しつつ動作することができる。
【０１０３】
＜近接センサ８０における検知タイミングの設定方法＞
図１１を用いて、近接センサ８０における検知タイミングの設定方法について説明する。なお、電子機器９０の筐体内部における近接センサ８０の配置位置は、図１１に示すように本発明の実施形態１に係る電子機器６０と同一である。
【０１０４】
また、本実施形態に係る表示装置も本発明の実施形態１に係る表示装置と同様に、１９２０×１０８０のフルハイビジョンの解像度で、フレームレートが６０Ｈｚであるものとする。さらに、発光素子１２の光の出射時間も実施形態１と同様に５００μｓであるものとする。
【０１０５】
画像の書き換えが約１６６６７μｓの周期で行われるため、表示装置の表示画面９１に表示される画像の走査線６４は、一本当たり約８．６８μｓごとに更新される。したがって、発光素子１２の光の出射期間（出射時間：５００μｓ）中に書き換えられる走査線６４の本数は、５００μｓ／８．６８≒５８本となる。
【０１０６】
ここで、近接センサ８０の配置位置は、走査線６４の本数で説明すれば９６０本目の走査線６４の表示領域付近に対応している。また、９６０本目の走査線６４の書き換え開始の直前を検知終了タイミングとし、発光素子１２の光の出射期間中に書き換わる走査線６４の本数がなるべく少なくなるような開始タイミングを検知開始タイミングとする点については、実施形態１と同様である。したがって、９６０−５８＝９０２本目の走査線６４の書き換え開始を示す水平同期信号Ｓ８６をカウント信号生成部８２に入力することで、近接センサ８０は、開始タイミングを調整することなく異常点の発生期間を短縮することができる。
【０１０７】
上述した水平同期信号Ｓ８６の算出は、下記の式（２）を用いて行うことができる。
【０１０８】
Ｓｅｌ＿ｈｓｙｎｃ＝Ｈ−Ｔｉｍｅ＿ＩＲ／｛（１／ｆ）／Ｎｕｍ＿Ｈ｝・・・（２）
ｆ［Ｈｚ］：表示装置のフレームレート
Ｎｕｍ＿Ｈ［本］：表示画面６１に表示される画像の走査線６４の本数の合計値
Ｔｉｍｅ＿ＩＲ［μｓ］：近接センサ８０が、表示画面６１におけるＨ番目に書き換わる走査線６４の表示領域に対応するターゲット箇所に設置された場合の、発光素子１２の光の出射時間
Ｓｅｌ＿ｈｓｙｎｃ：カウント信号生成部８２に入力される水平同期信号
〔まとめ〕
本発明の態様１に係る近接センサ（１０、８０）は、外部から入射した入射光の少なくとも一部が裏面を透過する表示装置の表示画面（６１、９１）における特定表示領域（６５、９５）の配置箇所に対応する箇所に配置され、前記表示画面に検知対象体が近接しているか否かを検知する近接センサであって、光を出射する発光素子（１２）と、前記表示装置から出力された、前記表示画面に表示された画像の書き換えのタイミングを示す同期信号が入力される同期信号入力部（１５）と、前記発光素子の前記光の出射を制御する出射制御部（センサ制御部１１、８１）と、を備え、前記出射制御部は、（ｉ）前記特定表示領域で前記画像の走査線（６４）の書き換えが開始される書き換えタイミングと、前記発光素子の前記光の出射時間と、に基づいて設定された開始タイミングで、前記発光素子に前記光の出射を開始させ、かつ、（ｉｉ）前記書き換えタイミングになる前に、前記発光素子に前記光の出射を終了させる。
【０１０９】
前記構成によれば、出射制御部は、書き換えタイミングと出射時間とを考慮して、表示画面における特定表示領域以外の表示領域において画像の走査線の書き換えが行われている時間と、出射時間とがなるべく重ならないように開始タイミングを制御できる。また、出射制御部は、書き換えタイミングおよび出射時間を考慮して、発光素子の光の出射終了直後に書き換えタイミングとなるように開始タイミングを制御できる。
【０１１０】
これらのことから、本発明の一態様に係る近接センサは、表示装置の表示画面の特定表示領域では、異常点の発生を防止することができる。また、表示画面における特定表示領域以外の表示領域（以下、「対象外表示領域」）でも、異常点の発生を低減することができる。よって、本発明の一態様に係る近接センサは、表示装置の表示画面全体について異常点の発生期間を短縮することができる。
【０１１１】
本発明の態様２に係る近接センサ（１０）は、前記態様１において、前記表示装置は、前記画像の書き換えの開始を示す垂直同期信号（Ｓ１６）を前記同期信号として出力し、前記同期信号入力部に前記垂直同期信号が入力されたときから前記書き換えタイミングになるまでの間の基準時間と、前記出射時間との差分時間に応じて、前記開始タイミングを設定する開始タイミング設定部（１６）をさらに備えていてもよい。
【０１１２】
前記構成によれば、同期信号入力部に垂直同期信号が入力される場合において、開始タイミング部が、差分時間を考慮して、対象外表示領域で画像の走査線の書き換えが行われている時間と出射時間とがなるべく重ならないように開始タイミングを設定できる。また、開始タイミング設定部は、書き換えタイミングおよび出射時間を考慮して、発光素子の光の出射終了直後に書き換えタイミングとなるように開始タイミングを設定できる。そのため、本発明の一態様に係る近接センサは、表示装置の表示画面全体について異常点の発生期間を短縮することができる。
【０１１３】
本発明の態様３に係る近接センサは、前記態様２において、前記開始タイミング設定部は、前記同期信号入力部に前記同期信号が入力されたときから時間計測を開始するカウンタ回路（５１）と、前記時間計測の開始後の前記カウンタ回路から順次出力される出力値と、前記差分時間の値とを比較し、前記出力値と前記差分時間の値とが一致した場合に、前記開始タイミングを設定する比較回路（５２）と、を有していてもよい。
【０１１４】
前記構成によれば、開始タイミング設定部の比較回路が、差分時間に達した時点で開始タイミングを正確に設定することができる。そのため、本発明の一態様に係る近接センサは、表示装置および近接センサのスペック等に応じて差分時間を適切に設定することにより、表示装置の表示画面全体について異常点の発生期間をさらに短縮することができる。
【０１１５】
本発明の態様４に係る近接センサ（８０）は、前記態様１において、前記表示装置は、前記走査線の書き換えの開始を示す水平同期信号（Ｓ８６）を順次出力し、前記表示装置から出力された前記水平同期信号の数をカウントすることにより、前記表示画面（９１）に表示される１本目の前記走査線から前記特定表示領域（９５）に表示される前記走査線までの総本数と同数の前記水平同期信号をカウントしたときに、カウント信号（Ｓ８７）を生成するカウント信号生成部（８２）をさらに備え、前記同期信号入力部には、前記カウント信号生成部から出力された前記カウント信号が前記同期信号として入力され、前記出射制御部（センサ制御部８１）は、前記同期信号入力部に対して前記カウント信号が入力されたときを、前記開始タイミングとしてもよい。
【０１１６】
前記構成によれば、出射制御部が、同期信号入力部に同期信号としてのカウント信号が入力されたときを開始タイミングとする。そのため、差分時間に応じて開始タイミングを設定する必要がなくなることから、差分時間の算出精度に起因する開始タイミングと書き換えタイミングとの意図しないズレが発生しない。よって、表示装置の表示画面全体について、異常点の発生期間の短縮を精度高く実現することができる。
【０１１７】
本発明の態様５に係る近接センサ（１０、８０）は、前記態様１〜４において、前記同期信号入力部は、入力された前記同期信号の極性に応じて当該極性を反転させる極性反転部（３１）と、前記極性反転部から出力された反転信号のエッジを検出するエッジ検出部（３２）と、を有していてもよい。
【０１１８】
前記構成によれば、同期信号入力部は、電子機器毎および表示装置毎に異なる同期信号の極性およびパルス幅の影響を受けることなく、エッジ検出部によって一定の精度で画像書き換えの開始を検知することができる。また、同期信号入力部は、入力された同期信号の極性に拘らず、一定の精度で画像書き換えの開始を検知することができる。そのため、本発明の一態様に係る近接センサは、同期信号の極性およびパルス幅に拘らず、表示装置の表示画面全体について異常点の発生期間を安定的に短縮することができる。
【０１１９】
本発明の態様６に係る電子機器（６０、９０）は、前記態様１〜５のいずれかに係る近接センサ（１０、８０）と、前記表示装置と、を備えている。前記構成によれば、本発明の態様１に係る発明と同様の効果を奏する。
【０１２０】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２１】
１０、８０  近接センサ
１１、８１  センサ制御部（出射制御部）
１２        発光素子
１５        同期信号入力部
１６        開始タイミング設定部
３１        極性反転部
３２        エッジ検出部
５１        カウンタ回路
５２        比較回路
６０、９０  電子機器
６１、９１  表示画面
６４        走査線
６５、９５  特定表示領域
８２        カウント信号生成部
Ｅ１        立ち上がりエッジ（エッジ）
Ｅ２        立ち下がりエッジ（エッジ）
Ｓ１６      垂直同期信号（同期信号）
Ｓ８６      水平同期信号（同期信号）
Ｓ８７      カウント信号
【図１】
2022001924.tif 000003
【図２】
2022001924.tif 000004
【図３】
2022001924.tif 000005
【図４】
2022001924.tif 000006
【図５】
2022001924.tif 000007
【図６】
2022001924.tif 000008
【図７】
2022001924.tif 000009
【図８】
2022001924.tif 000010
【図９】
2022001924.tif 000011
【図１０】
2022001924.tif 000012
【図１１】
2022001924.tif 000013
【図１２】
2022001924.tif 000014
【図１３】
2022001924.tif 000015
【図１４】
2022001924.tif 000016
【図１５】
2022001924.tif 000017
【図１６】
2022001924.tif 000018